(57)【要約】【課題】球体形の装飾玉の凸面に表される模様がどの装飾玉についても同一の模様に仕上げるとともに、模様が損傷しない球体形の装飾玉を提供する。また、その球体形の装飾玉の製造方法を提供する。【解決手段】無色透明のガラス製の下半球体２と、下半球体２の平坦面２ａに設けられる転写シートによる模様３と、上記の下半球体２の平坦面２ａおよびこの面に設けられた模様３の上面に溶解状態の無色透明のガラスによって形成されている。この上半球体は下半球体およびこの平坦面に固定された転写シートによって形成された模様３ａの上に溶解状態の無色透明のガラスを徐々に乗せながら形成し、全体が球体に形成されている。【選択図】  図１
2009268594.tif 000002
【特許請求の範囲】
【請求項１】
球体の一方を形成しているガラス製の一側体と、その一側体のほぼ平坦面に転写シートから焼き付け固定した印刷層と、その平坦面および印刷層の上面に設けた前記球体の他方を形成するガラス製の透明の他側体とからなり、前記印刷層が前記一側体と他側体とからなる球体内に密着状態で内蔵されている装飾玉。
【請求項２】
前記一側体が、透明である請求項１記載の装飾玉。
【請求項３】
前記一側体が、球体の中心から外れた位置を切断した状態の一方の側によって形成され、前記他側体が、その他方の側によって形成されている請求項１記載の装飾玉。
【請求項４】
前記一側体および他側体がほぼ半球体であり、前記印刷層が前記球体のほぼ中心に密着状態で内蔵されている請求項１記載の装飾玉。
【請求項５】
前記一側体または他側体の中に前記印刷層とほぼ平行状態で金属箔を設けている請求項２記載の装飾玉。
【請求項６】
前記他側体が前記一側体のほぼ平坦面および前記印刷層の上に溶解状態のガラスを設け、成形・固化したものである請求項１記載の装飾玉。
【請求項７】
前記一側体が、色ガラスである請求項１記載の装飾玉。
【請求項８】
前記印刷層の模様が、文字、紋などの記号である請求項１記載の装飾玉。
【請求項９】
請求項１または５記載の装飾玉と、その装飾玉の天部に設けられた連結部材と、この連結部材に連結された吊り紐とからなるストラップ。
【請求項１０】
前記吊り紐が前記装飾玉の印刷層と同系色である請求項９記載のストラップ。
【請求項１１】
球体の一方を形成しているガラス製の一側体を成形し、その一側体の平坦面に転写シートによって印刷層を焼き付け固定し、加熱して高温状態にある一側体の平坦面側に透明のガラスを溶解状態で設けて前記球体の他方を形成している他側体を形成する装飾玉の製造法。
【発明の詳細な説明】
【技術分野】
【０００１】
本発明は装飾玉およびその装飾玉の製造方法に関する。
【発明の開示】
【発明が解決しようとする課題】
【０００２】
装飾玉が球体形である場合、その表面に施される模様は手書きが一般的であるが、手書きの場合は、製品一つひとつの模様の出来上がりにばらつきが生じやすい。このようなばらつきを防止するために、転写シートによって模様を施す方法もあるが、凸面上では転写シートをまっすぐに伸ばした状態で張り付け難く、特に、球体が小振りの装飾玉の場合は一層、転写シートが部分的に重なり、また、模様が重なり易い。したがって、製品の出来上がりに安定性を欠く。また、球体表面に施された模様は外出しているので、掻き傷などの損傷を受け易い。
【０００３】
本発明は、球体形の装飾玉の凸面に表される模様がどの装飾玉についても同一の模様に仕上げて製品のばらつきをなくし、また、模様が損傷しない装飾玉を提供することを課題としている。また、その装飾玉の製造方法を提供することを課題とする。
【課題を解決するための手段】
【０００４】
本発明の装飾玉（請求項１）は、球体の一方を形成しているガラス製の一側体と、その一側体のほぼ平坦面に転写シートから焼き付け固定した印刷層と、その平坦面および印刷層の上面に設けた透明の前記球体の他方を形成するガラス製の他側体とからなり、前記印刷層が前記一側体と他側体とからなる球体内に密着状態で内蔵されていることを特徴としている。
【０００５】
前記一側体は、透明が好ましい（請求項２）。
【０００６】
前記一側体は、球体の中心から外れた位置を切断した状態の一方の側によって形成され、前記他側体は、その他方の側によって形成されているのが好ましい（請求項３）。
【０００７】
前記一側体および他側体は、ほぼ半球体であり、前記印刷層が前記球体のほぼ中心に密着状態で内蔵されていてもよい（請求項４）。
【０００８】
前記一側体または他側体の中に、前記印刷層とほぼ平行状態で金属箔を設けているのが好ましい（請求項５）。
【０００９】
前記他側体は、前記一側体のほぼ平坦面および前記印刷層の上に溶解状態のガラスを設け、成形・固化したものが好ましい（請求項６）。
【００１０】
前記一側体は、色ガラスであってもよい（請求項７）。
【００１１】
前記印刷層の模様は、文字、紋などの記号が好ましい（請求項８）。
【００１２】
本発明のストラップは、請求項１または５記載の装飾玉と、その装飾玉の天部に設けられた連結部材と、この連結部材に連結された吊り紐とからなるのを特徴としている（請求項９）。
【００１３】
前記吊り紐は、請求項９の装飾玉の印刷層と同系色であるのが好ましい（請求項１０）。
【００１４】
本発明の装飾玉の製造法（請求項１１）は、球体の一方を形成しているガラス製の一側体を成形し、その一側体の平坦面に転写シートによって印刷層を焼き付け固定し、加熱して高温状態にある一側体の平坦面側に透明のガラスを溶解状態で設けて前記球体の他方を形成している他側体を形成することを特徴としている。
【発明の効果】
【００１５】
本発明の装飾玉（請求項１）は、球体の一方を形成しているガラス製の一側体のほぼ平坦面に転写シートの印刷層を焼き付け固定しているので、他側体を一側体および印刷層の上面に設ける時、印刷層が所定の位置よりずれることはない。したがって、印刷層、つまり模様はガラス製の球体の中の所定の位置に密着状態で確実に閉じ込めることができる。また、他側体は透明なので、印刷層、つまり模様は、他側体から中を見たとき、この他側体の凸面の作用によって拡大し、また、この凸面上に浮き上がって外見される。したがって、上記の模様は他側体の表面、または装飾玉の表面に施されているような外観を呈する。しかしこの模様は厚いガラス層で覆われているので、掻き傷や切り傷などによって損傷することはない。
【００１６】
前記一側体が透明である場合（請求項２）、前記印刷層は、一側体についても他側体と同理同様に拡大して見える。また、一側体の凸面上に浮き上がって外見されるので、一側体の表面にも模様が施されているような外観を呈する。また、一つの印刷層は一側体と他側体とでは、対称的に表れるので、装飾玉は２通りの意匠を外見することができる。
【００１７】
前記一側体が球体の中心から外れた位置を切断した状態の一方の側によって形成され、前記他側体が、その他方の側によって形成されている場合（請求項３）、一側体と他側体の厚みに差異があるので、その拡大作用は異なる。したがって、上記の各側体から中の印刷層を見たとき、その印刷層による模様は大きさが異なる相似形で表れるので、装飾玉は２通りの意匠を外見することができる。
【００１８】
前記一側体および他側体の形状がほぼ半球体である場合（請求項４）、一側体と他側体のそれぞれの凸面による拡大作用はほぼ同じである。したがって、上記の各側体から中の印刷層による模様を見たとき、その模様はほぼ同じ大きさに表れるので、一側体および他側体のいずれの側においても同じ意匠が外見できる。
【００１９】
前記一側体または他側体の中に前記印刷層とほぼ並行状態で金属箔を設けている場合（請求項５）、金属箔は、一側体または他側体のうち、金属箔が設けられている側の凸面の作用によって拡大し、その側の凸面に浮き上がって外見される。また、反対側の凸面には金属箔とその手前に位置する印刷層が一体となって拡大し、その側の凸面に浮き上がって外見される。したがって金属箔が設けられている側の表面には金属箔が施され、また、反対側の表面には金属箔上に印刷層が施されているような外観を呈する。しかし、金属箔および印刷層は厚いガラスの球体の中に設けられているので、外損を受けることはない。
【００２０】
前記他側体が前記一側体のほぼ平坦面および前記印刷層の上に溶解状態のガラスを設け、成形・固化したものである場合（請求項６）、溶解状態のガラスは一側体の平坦面および印刷層に全面密着することができるので、印刷層の周辺に隙間は生じない。
【００２１】
前記一側体が、色ガラスである場合（請求項７）、他側体からは一側体の色が透過する。したがって、他側体の色は実態とは異なる色で外見される。また、印刷層による模様はその色が付いた他側体の表面に沿って施されているような外観を呈する。
【００２２】
前記の印刷層の模様は、文字、紋などの記号である場合（請求項８）、通常、見ることのない反転状態の形状も鑑賞できるので、一層、興趣がある。
【００２３】
本発明のストラップ（請求項９）は、球体の一方を形成しているガラス製の一側体と、その一側体のほぼ平坦面に転写シートから焼き付け固定した印刷層と、その平坦面および印刷層の上面に設けた前記球体の他方を形成するガラス製の透明の他側体とからなり、前記印刷層が前記一側体と他側体とからなる球体内に密着状態で内蔵されている装飾玉、または、前記一側体が透明で、その中に前記印刷層とほぼ並行状態で金属箔を設けている装飾玉と、その装飾玉の天部に設けられた連結部材と、この連結部材に連結された吊り紐とからなっている。したがって、吊り紐で吊られた上記の装飾玉は回転が可能になっており、また、中の印刷層は見え隠れが可能になっているので、装飾玉は回転することによって、別の装飾玉に外見される。
【００２４】
前記印刷層と前記吊り紐とが同系色である場合（請求項１０）、吊り紐は印刷層による模様を直に吊り持しているような外観を呈する。
【００２５】
本発明の装飾玉の製造法（請求項１１）は、球体の一方を形成しているガラス製の一側体の平坦面に転写シートによって印刷層を焼き付け固定し、加熱して高温状態にある一側体の平坦面側に透明のガラスを溶解状態で設けて前記球体の他方を形成している他側体を形成しているので、他側体は一側体および印刷層の上に隙間なく、また、完全に密着した状態で接合させることができる。したがって、一側体と他側体によって形成された球体は、まるで一塊の球体が形成されているかのようにその接合部は分からないので、非常に美しい。また、印刷層は一塊の球体の中に密着状態で収められているので、一側体と他側体に挟まれている形態には見えない、印刷層と球体は非常に緊密に密着しているので、非常に好体裁の外観を呈している。
【発明を実施するための最良の形態】
【００２６】
つぎに図面を参照しながら、本発明の装飾玉の実施形態および装飾玉の製造法について説明する。図１ａは本発明の装飾玉の一実施形態を示す正面図、図１ｂは同背面図、図１ｃは同側面図、図２ａは図１ａの一部を切り欠いた状態の正面拡大図、図２ｂは図２ａの同側面図、図３は転写シートの層構造を示す説明図、図４ａはその他の実施形態を示す正面図、図４ｂは同背面図、図４ｃは同側面図、図５はその他の実施形態を示す正面中央縦断面図（または、正面中央横断面図）、図６は装飾玉の使用形態を示す正面図、図７は装飾玉の製造方法を示す概略工程図である。
【００２７】
本発明の装飾玉１は、図１ａないし図１ｃおよび図２ａないし図２ｂに示す無色透明のガラス製の半球体（以下、下半球体と称す。）２と、図２に示す下半球体２の平坦面２ａに設けられる転写シートによる印刷層３と、上記の下半球体２の平坦面２ａおよびこの面に設けられた印刷層３の上面に溶解状態の無色透明のガラスによって形成される上半球体４とからなっている。装飾玉１の直径は、例えば１２〜２０ｍｍくらいの小型のものである。
【００２８】
下半球体２は、無色透明のガラスによって手作りで形成されている。下半球体２は上半球体４が手作りによって形成されることから、同じ触感の手作りの方が成型品よりも違和感がなく、また、風合いがあるので、好ましい。しかし成型品であってもよい。
【００２９】
転写シート５は、図３に示すように可燃性のカバーコート６と、この下の転写用の模様が形成されている印刷層３と、この下の水溶性のバインダー７（一部）とからなる。この原形は水溶性バインダー７の下層に台紙である転写紙８が設けられているが、水に浸して転写紙８を取り除いた状態のものがここでいう転写シート５である。この転写シート５の印刷層３の厚みは極めて薄い。したがって、図２ｂに示すように、平坦面２ａに転写シート５を焼き付けて転写された印刷層３と平坦面２ａとの間にはほとんど段差が生じない。印刷層３を形成する印刷用のインク材には金粉が混合されているので、図１ａ、図１ｂおよび図２aに示す転写された模様３aの色は金色を呈している。金粉は溶解状態のガラスと接触しても変質することはないので、模様３aは美しい金色を保持する。
【００３０】
印刷層３は転写用の模様３aを形成している。その模様としては、図１ａおよび図２aに示すように漢字が好ましい。そもそも漢字は左右または上下のバランスがよい。また、円形の中にバランスよく収まるとともに円形の形状に調和する。漢字の形状は、例えば毛筆による楷書体、行書体または草書体がボリュームおよび線の流れなどから、模様としての価値が高く、好ましい。
【００３１】
上記の漢字は一個あるいは複数個のいずれも模様として採用してよい。たとえ字数、また、画数が多くても、後述する上半球体４の凸面の作用によって拡大され、また、明瞭に表れるので、煩雑さはない。漢字の形状は上記の書体以外のもの、また、オリジナルのものであってもよい。模様３aは、漢字以外の記号として、図４に示すように家紋も好ましい。家紋は外周が略円形状のもの、あるいは円状に広がっているものが多いので、円形の平坦面２ａの面積をフル活用できることからも模様として非常に有効である。その他の模様としては、社章、校章、園章なども好ましい。また、ブランドのロゴや人気キャラクターなどの図柄なども好ましい。さらに微妙な表情をだすために繊細に描かれているキャラクターの図柄は特に好ましい。
【００３２】
図２aおよび図２ｂに示すように、平坦面２ａの中心に焼きつけ固定された模様３aは、前述のとおり、金色で、かつ、側面から見ても厚みが見えないくらい非常に薄いので、まるで、金箔によって施されているかのような繊細さと豪華さが表現されている。この模様３aの大きさは、図２aに示すとおり、平坦面２ａの周縁の内側に十分な空き部Pを残し、また、図２ｂに示すとおり、下半球体２の半円凸の立ち上がり部Ｒ１にかからない小さめのものである。例えば、模様３ａが平坦面２ａの直径よりも概略、３割程度、小さくしているものが好ましい。
【００３３】
この場合、下半球体２の凸面Ｒ２を通して模様３ａを真正面から見たとき、模様３ａは立ち上がり部Ｒ１にかかっていないので、下半球体の凸面Ｒ２の拡大作用によって、歪曲することなくほぼ均等に拡大される。そのため、非常に美しい状態で外見することができる。この模様３ａはほぼ３割増しに拡大されるので、凸面全体に模様３ａが広がって外見される。このように、模様３ａは上記のとおり平坦面２ａの周縁に余地があるくらいの小さめのものを下半球体２の平坦面２aの中心に形成するのが好ましい。しかし、平坦面２ａの周縁にあえて模様の周囲を接近させ、あるいは、Ｒ１の真下に位置させて、歪曲させてもよい。
【００３４】
上半球体４は、図２に示すように、平坦面２ａおよび印刷層３の上に高熱の溶解状態のガラスを徐々に垂らしながら形成するが、下半球体２は、高熱の溶解状態のガラスによってひびが入るなどの衝撃を受けないようにするため、予め加熱して高温状態にしたところで、溶解状態のガラスを垂らしている。そのため、上半球体４と下半球体２の密着度は極めて高く、また、上半球体４は下半球体２に同化する。したがって、両体の接合面が分らないほどの一塊の球体を形成したような外観を呈し、また、印刷層３は上記の両体に挟まれているというよりも、球体の中に密着状態で閉じ込められているような外観となっている。また、印刷層の周辺には隙間はない。
【００３５】
さらに、上記の二つの半球体は同じ質感であって、境目のない一塊の球体に形成されるので、装飾玉の表面は段差や継ぎ目がない美しい平滑な面に仕上げることができる。このように半球体の間に印刷層を介在させて、一体化させたことによる球体形の装飾玉は、表面は一塊の球体であり、前述のとおり、その中に模様が完全密着の状態で閉じ込められているので、上下の半球体の間に挟まれている違和感は一切ない。
【００３６】
したがって一塊のガラス製の球体と、水平状態の厚みのない模様との組み合わせによる装飾玉は、表面が滑らかで繊細な感じがある一方、各半球体の凸面を通して見たとき表れる拡大した模様には大胆さがあるので、繊細さと大胆さが融合した興趣のある外観を呈する。また、上記の模様３ａは、前述のとおり、拡大さして外見されるので、転写シートは小さくてすむ。そのため、取扱が容易であり、また、経済的である。また、上半球体４の凸面４ｂを通して見る模様３ａは、凸面４ｂ上に浮かび上がっているように外見されるので、装飾玉１は摩訶不思議な光景を呈する。
【００３７】
このように模様３ａの拡大効果や浮かび上がり効果は反対側の下半球体２においても同理同様である。また、図１ｂに示すように下半球体２の凸面２ｂから見える模様３ａは、図１ａに示す上半球体４から見える模様の形状が反転状態になるので、裏側を見ているように錯覚する。特に、漢字の場合は、通常、反転状態を見慣れていないので、斬新さがある。そして、図１ｃに示すようにこの模様３ａは装飾玉１の側面からはほとんど見えないので、模様３ａは見る方向によって出没する。
【００３８】
その他の実施形態としては、図４ａ乃至図４ｃに示すように、前記の実施形態の下半球体２を模様３ａが見えない程度の不透過性の有色ガラスとし、上半球体４を無色透明のガラスとしている。印刷層による模様３ａは有色ガラスと同化しない色、または色の組み合わせとしている。この実施形態では、下半球体の色とは異なる金色の紋を模様として採用している。上半球体４は、前記の実施形態と同じく無色透明の溶解状態のガラスによって形成し、下半球体２とともにほぼ球体を形成している。なお、模様は、この実施形態においてもこれに限定されるものではない。
【００３９】
したがって上半球体４からは下半球体２の色が透視されるので、上半球体４が下半球体２と同じ不透過性の有色ガラスで形成されているように外見される。そのため、図４ａに示すように、上半球体４を通して紋の模様３ａを真正面から見ると、恰も不透過性の有色ガラスからなる上半球体４の表面に金色の紋が設けられているように錯覚させられる。さらに、その上半球体４の表面全体に設けられている模様３ａならば、本来、側面からも外見されるが、図４ｃに示すように、模様３ａは下半球体２の平坦面２ａに設けられているので、側面からは見えない。また、図４ｂのように背面からは、下半球体２が上半球体４と同色でありながら、模様３ａは外見されない。したがって、この実施形態の装飾玉１は、模様３ａが思惑通りに見えないので、トリック的な興趣を持ち合わせている。
【００４０】
その他の装飾玉１の実施形態としては、図５に示すように、球体の中心を外して切断することによって得られる一方の一側体２０と、他方の他側体２１とによってなり、さらには、その一側体が、その平坦面と並行に切断することによって得られる外側体２２と内側体２３とによってなる無色透明のガラス製の球体と、この外側体２２と内側体２３の間に閉じ込められる金属箔２４と、内側体２３と他側体２１の間に閉じ込められる転写シートによる印刷層３とからなる。
【００４１】
さらに詳しくは、一側体２０は、図５に示すように、平坦面２０ａの直径が、仮想半球体Ａの二点鎖線で示す平坦面Ａ２の直径よりも小さく、奥行が長い。また、他側体２１の方は、平坦面２１ａの直径が前記仮想半球体Ａと同じ大きさの仮想半球体Ｂの平坦面Ｂ２の直径より小さく、奥行が短い。外側体２２は、ほぼ半球体を形成している。内側体２３は、この外側体２２の上面に溶解状態のガラスを垂らして一側体の残り部分を形成している。内側体２３は、予め高温状態にした外側体２２の平坦面２２ａの中心にこれより小円形の金属箔２４を設け、その上から溶解状態のガラスを垂らして形成しているので、外側体２２と内側体２３との間は隙間なく密着し、また、金属箔２４は一側体２０の中に密着状態で閉じ込められる。
【００４２】
他側体２１は、内側体２３の平坦面、つまり一側体２０の平坦面２０ａの上面の中心に前記実施形態と同じように、その周辺に余地が残る程度の小振りの印刷層３による模様３ａを設けており、予め高温状態にしたその上から溶解状態のガラスを垂らして形成しているので、前記実施形態と同じく一側体２０と他側体２１との間には隙間がなく、また、模様３ａは装飾玉１の中に密着状態で閉じ込められる。印刷層３は、前記の金属箔２４の大きさの中に収まる程度の大きさになっている。また、内側体２３を介して金属箔２４の上に設けるので、転写作業の時、金属箔２４を損傷させることはない。
【００４３】
この内側体２３および他側体２１はいずれも上記のとおり、溶解状態のガラスによって形成されているので、金属箔２４および印刷層３が設けられていても、外側体２２、内側体２３そして他側体２１は相互に隙間なく、強力に密着した状態で球体を形成することができる。また、溶解状態のガラスによって内側体２３と他側体２１を形成するとき、外側体２２あるいは一側体２１は高温状態にしているので、上記の３つのパーツは同じ質感で形成される。したがってそれぞれのガラス体の接合部は分からない。また、金属箔２４および印刷層３は上記外側体２２、内側体２３、そして他側体２１に挟み込まれているというよりも、一塊のガラス製の球体の中に密閉状態で閉じ込められているような外観を呈する。なお、外側体２２については成型であってもよいが、内側体２３および他側体２１との質感がより同じになるように溶解状態のガラスによって形成されたものが好ましい。
【００４４】
この実施形態の印刷層３の色は少なくともアウトラインの色は背景の金属箔２４と同化しないように、他の色で着色されている。しかし、同化する必要がある場合は金属箔２４と同色でもよい。印刷層の模様３aは、文字、紋、キャラクターなどの図柄が好ましいが、これらに限るものではない。金属箔は、高温に対して、変質し難い金箔を使用するのが好ましい。しかし、金箔以外の金属箔を使用してもよい。
【００４５】
この実施形態の装飾玉１は、外側体２２の凸面から中を見たとき、金属箔２４が外側体２２の凸面の作用によって、拡大するとともに、表面上に浮き上がって外見されるので、一側体の凸面全体が金属箔によって覆われているような外観を呈する。また、反対の他側体２１の凸面から中を見たとき、金属箔２４を背景に印刷層３の模様がこの凸面に浮き上がって外見されるので、金属箔２４で覆われた凸面に模様３ａが施されているような外観を呈する。また、印刷層３の模様は他側体２１の凸面の作用によって、拡大して見える。このように無色透明のガラス製の内側体２３を介して印刷層３と金箔２４とを設けていることによって、一側体２０と他側体２１の凸面から見える意匠は全く趣が異なるので、非常に贅沢感がある。
金属箔２４と印刷層による模様３ａは、前実施形態と同じように仮想半球体ＡおよびＢの各凸面の立ち上がり部にかからないようにすることによって、拡大して外見される模様３ａは歪曲しない。また、金箔２４は、外側体２２の凸面の拡大作用によって、実質的な面積は小さくて済むので、経済的である。
【００４６】
その他の実施形態（図示外）は、球体の中心より外れたところを切断した無色透明のガラス製の一側体及び他側体からなり、この一側体と他側体の間に印刷層によって形成された模様を設けている。例えば、一側体の凸面の厚みが他側体よりも厚い場合、一側体の凸面から中を見た方が他側体の凸面から中を見たときよりも大きく拡大して見える。したがって、一つの大きさの模様が一側体からは大きい状態で外見され、反対に他側体からは小さい状態で外見される。
なお、前記の実施形態で示した装飾玉の大きさは、前述の大きさに限定されるものではない。
【００４７】
前記実施形態の装飾玉は、このまま飾っておいてもよいし、また、財布の中に忍ばせるなどお守り感覚で携帯してもよい。その他、図６に示すようにストラップ３０を装飾玉１に取り付けた状態で携帯してもよい。この場合、装飾玉１の天部に直径０．５〜１．０ｍｍ前後の竪穴３１を設け、ストラップ３０と連結するための連結部材３２の脚部をこれに固定させる。竪穴３１は装飾玉１を形成している途上において、ガラスが高熱状態にあるとき針によって形成している。連結部材３２は、極細の金属の線材によって直径が２〜５ｍｍの環状の頭部３３と、その下方に直線状に伸びている前記の脚部３４とからなり、脚部３４をガラス用の接着剤に付けて竪穴３１に挿入した後、赤外線に照射させて竪穴に固定させている。また、連結部材３２は、装飾玉１の天部からその頭部３３がわずかに突出するだけで、脚部３４は竪穴３１に埋まった状態になっている。なお、連結部材は先の線材に変えて、上半球体を形成する際にガラスで環を形成して装飾玉に一体化させたものでもよい。また、下半球体２が有色不透明の場合、前記の連結部材３２は下半球体２の側に竪穴を設けて、当該竪穴にその脚部を固定することによって、不外見となるので、好体裁である。
【００４８】
ストラップ３０はボリューム感のある組紐で形成されているストラップ本体３５と、この下部に設けられた前記の連結部材３２に装着用の環状の連結金具３６とからなる。前述のとおり、連結部材３２の頭部３３は比較的小さいので、ストラップ３０の下端は装飾玉１の天部に接近し、また、模様３ａにも接近している。また、ストラップ３０は模様３ａと同系色になっている。なお、ストラップ本体の上方は細い孔に貫通させ易いいわゆる松葉紐で形成されているのが好ましい。しかし、ストラップ本体全体が松葉紐のように繊細な感じのものであってもよい。この場合、模様と同系色とすることによって、一体感があるので、好ましい。しかし同系色でなくてもよい。
【００４９】
したがって、ストラップ３０は模様３ａを直に吊り持しているような外観を呈している。特に、図１に示す上半球体４および下半球体２、そして図５に示す一側体２０および他側体２１がそれぞれ無色透明である場合は、金色で統一されたストラップ１１と上記の模様３ａだけが特に目立つので、その外観は顕著に表れる。また、模様３ａが漢字である場合、ストラップ３０はこの漢字を直に吊り持しているように外見されるので、興趣のあるものになる。
【００５０】
さらに、従来のお守りは祈願の言葉である漢字などの文字を札などに書き留めたものを携帯用の袋の中に収めているため、そのお札は外見できない状態になっている。しかし、この装飾玉の文字は、球体全部が無色透明、または球体の一方の側が無色透明である、いずれかの球体の中に収められているので、ガラス製の球体と同時に外見することができる。そして、その文字は上半球体（また、下半球体）の凸面の作用によって表面上に浮かび上がって外見されるので、従来のお札に書き留められている平面的な文字とは異なり、新規な意匠性と不思議な雰囲気の神秘性がある。
【００５１】
その他の使用形態としては、図７に示すように、図６に示す連結部３２を装飾玉１の天部と底部にも設けて、その装飾玉１を連結金具４０によって連結している。上方に位置する装飾玉１は図６に示すように、ストラップ３０を設けている。例えば二つの装飾玉の模様を漢字「起」と「福」とした場合、連結した装飾玉１より「起福」の造語が形成される。その他「開運」、「縁結」、「大吉」など所望する文字を組み合わせることができる。さらに、装飾玉の大きさが異なるものを連結させてもよい。その他の使用形態としては装飾玉を数珠のように多数個連結したものを環状に形成してもよい。また、装飾玉の下部にガラス棒を熔着固定し、装飾玉をマドラーの飾り部材として使用することもできる。この場合、装飾玉が摘み部になるので、滑らかな表面は指先に優しい。
このように、装飾玉は単体で使用したり、組み合わせたり、また、別の部材を取り付けていろいろな形態または用途で使用することができる。
【００５２】
図１に示す装飾玉１は、例えば図８のように製造される。まず、無色透明のガラスで下半球体２を形成する（Ｓ１）。この下半球体２の平坦面２ａに転写シートの印刷層３を焼き付けて、印刷層による模様を形成する（Ｓ２）。この下半球体２を高温状態にして、この下半球体２の平坦面２ａおよび上記模様の上面に溶解状態の無色透明のガラスを少量ずつ被せて（Ｓ３）、この溶解状態のガラスによって上半球体４を形成する（Ｓ４）。それにより、上記下半球体と上半球体とからなる球体が得られる。この球体を加熱させながら、球体の形状を補正する（Ｓ６）。最後の工程は、球体の形状を補正する必要がない場合は不要である。さらに、前述の連結部３２の脚部３４を装飾玉１に取り付ける場合、装飾玉が高温状態にあるとき（Ｓ６またはＳ７）、脚部３４を挿入するための竪穴３１を針で形成し、竪穴の形状が安定した後、脚部３４をこの竪穴３１に挿入するとともに接着剤で固定する。
【００５３】
上記の製法において、転写シートを平坦面に焼き付け固定する（Ｓ２）時、図２に示す原形の転写シートを水に浸けて水溶性バインダー７を溶解させ、そして転写紙８を除去させているので、転写シート５は、水分を含んでいる状態にあるが、貼り付ける対象が平坦面なので、この水分は簡単に除去することができる。また、平坦面になじみ易いので、下半球体の平坦面の中心にぴんと張ることが簡単にできる。転写シートが張り付けられた下半球体はその後、完全に乾燥させてからガスバーナーなどで加熱して水溶性バインダーおよびカバーコートを燃焼させるとともに、その下半球体の平坦面に印刷層による模様を固定させている。したがって、下半球体２の平坦面２ａに焼き付けされた模様３ａはカバーコート６に印刷された形状のまま、美しく転写される。なお、焼き付けはガスバーナー以外の方法であってもよい。
【００５４】
このように下半球体２の平坦面２aに設けられた模様３ａは平坦面２ａに強力に密着し、かつ固定しているので、擦っても一切、動かない。したがって、平坦面に溶解状態のガラスを被せながら上半球体を形成しても、模様は一切、ずれない。また、模様３ａは下半球体２と上半球体４との間にサンドウィッチ状態で挟まれているが、上半球体４は溶解状態のガラスによって形成しているので、下半球体２との間に空隙は一切ない。つまり下半球体と上半球体は一塊の球体に形成される。したがって、模様は一塊の球体のなかに閉じ込められているような外観を呈する。
【００５５】
図５に示す装飾玉１の製造は、外側体２２を形状維持できる程度に加熱して高温にし、この外側体２２の平坦面２２ａの上面に金属箔２４を乗せた後、金属箔２４および外側体の平坦面２２ａの上面に溶解状態の無色透明のガラスを少量ずつ被せて内側体２３を形成するとともに、一側体２０を形成する。熱が取れた後、内側体２３の平坦面、つまり一側体２０の平坦面２０ａに転写シートの印刷層３を前述の下半球体２の平坦面２ａに転写シートの印刷層３を焼き付け固定するのと同じように焼き付けて、その模様を固定している。そして、一側体２０の平坦面２０aおよび印刷層３による模様３ａの上に他側体２１を前述の上半球体と同じ要領で形成している。
したがって、装飾玉の中間には金属箔や印刷層が設けられているが、各ガラス体との間に隙間なく密着しているので、前記の製造法と同じように、美しい装飾玉を形成することができる。さらに印刷層３は内側体２３のガラス層を介して金属箔２４の上に設けているので、転写シートによって形成される模様３ａは、転写時に金属箔２４を損傷させることがない。なお、金属箔２４と印刷層３の位置を逆にすることもできる。
【図面の簡単な説明】
【００５６】
【図１】図１ａは本発明の球体形の装飾玉の一実施形態を示す正面図、図１ｂは同背面図、図１ｃは同側面図である。
【図２】図２ａは図１ａの一部を切り欠いた状態の正面拡大図、図２ｂは同側面図である。
【図３】図３は転写シートの層構造を示す説明図である。
【図４】図４ａはその他の実施形態を示す正面図、図４ｂは同背面図、図４ｃは同側面図である。
【図５】図５ａはその他の実施形態を示す正面中央縦断面図、または正面中央横断面図である。
【図６】図６は装飾玉の使用形態を示す正面図である。
【図７】図７はその他の使用形態を示す正面図である。
【図８】図８は装飾玉の製造方法を示す概略工程図である。
【符号の説明】
【００５７】
１  装飾玉
２  下半球体
２ａ  平坦面
２ｂ  凸面
３  印刷層
３ａ  模様
４  上半球体
４ｂ  凸面
５  転写シート
６  カバーコート
７  水溶性バインダー
２０  一側体
２０ａ  平坦面
２１  他側体
２１ａ  平坦面
２２  外側体
２２ａ  平坦面
２３  内側体
２４  金属箔
３０  ストラップ
３２  連結部材
３１  竪穴
３４  脚部
３３  頭部
３５  ストラップ本体
３６  連結金具
４０  連結金具
Ａ  仮想半球体
Ａ２  平坦面
Ｂ  仮想半球体
Ｃ  球体の中心
Ｒ１  立ち上がり部
Ｒ２  立ち上がり部を除く凸面 
【図１】
2009268594.tif 000003
【図２】
2009268594.tif 000004
【図３】
2009268594.tif 000005
【図４】
2009268594.tif 000006
【図５】
2009268594.tif 000007
【図６】
2009268594.tif 000008
【図７】
2009268594.tif 000009
【図８】
2009268594.tif 000010